(57)【要約】      （修正有）【課題】表示部に対して着脱可能に構成されたファインダーユニットにおいて、表示部が上面を向いた状態で撮像装置を使用した場合に、好適な視認状態を得られるようにすること【解決手段】撮像装置と表示部を連結するように設けられた回動機構と、表示部に対して着脱可能に構成された直視型ファインダーユニットを有し、表示部が撮像装置に収納される第１の位置と、回動機構により動作した第２の位置との間を回動可能に設けられ、ファインダーユニットは、表示部から射出された光束を折曲げる第１ミラーと、さらに折曲げる第２ミラーと、ファインダーユニットが表示部に装着されたか否かを検出する第１の検出手段、第２ミラーが光束から退避したか否かを検出する第２の検出手段、直視型ファインダーユニットが固定された表示部が第２の位置にあるか否かを検出する第３の検出手段を有し、検出状態に応じて表示部に表示される表示の方向を切り替える。【選択図】図１７
2019056863.tif 000002
【特許請求の範囲】
【請求項１】
撮像レンズを有する撮像装置本体と、
表示画面が露出するように前記撮像装置に配置された表示部と、
前記撮像装置と前記表示部を連結するように設けられた回動機構と、
前記表示部に対して着脱可能に構成された直視型ファインダーユニットを有し、
前記表示部は前記回動機構を動作させることによって、前記表示部が前記撮像装置に収納される第１の位置と、前記表示部が前記回動機構により動作した第２の位置との間を回動可能に設けられ、
前記直視型ファインダーユニットは、前記表示部から射出された光束をＬ字状に折り曲げる第１ミラーと、前記表示部に取り付く固定部と、前記第１ミラーに平行に配置され、前記第１ミラーにより折り曲げられた前記光束をさらにＬ字状に折り曲げることで、撮影者の眼に前記光束を到達させる第２ミラーと、前記第２ミラーよりも撮影者の眼側に配置された光学部品で構成され、前記第２ミラーが前記第１ミラーでＬ字型に折り曲げられた前記光束から退避可能に構成されており、
前記直視型ファインダーユニットが前記表示部に装着されたか否かを検出する第１の検出手段、前記第２ミラーが前記光束から退避したか否かを検出する第２の検出手段、前記直視型ファインダーユニットが固定された前記表示部が第２の位置にあるか否かを検出する第３の検出手段を有し、前記第１の検出手段、前記第２の検出手段、前記第３の検出手段の検出状態に応じて、前記表示部に表示される映像ないし撮影補助情報の表示の方向を切り替えることを特徴とした撮像装置。
【請求項２】
前記第１の検出手段により前記直視型ファインダーユニットが前記表示部に装着されたことを検出し、かつ、第２の検出手段により前記第２ミラーが前記光束から退避していることを検出し、かつ、第３の検出手段により前記表示部が第２の位置にあると検出した場合、前記表示部に表示される前記映像は、前記表示部が第１の位置にある場合の表示状態と同様に表示され、かつ、前記表示部に表示される前記撮影補助情報は、前記表示部が第１の位置にある場合の表示状態の鏡像として表示されることを特徴とした請求項１に記載の撮像装置。
【請求項３】
前記表示部が前記撮像装置に収納される前記第１の位置は、前記撮像レンズの光軸と直交する面に前記表示部の前記表示画面が露出していることを特徴とする請求項１または２に記載の撮像装置。
【請求項４】
前記表示部が前記回動機構により動作した第２の位置は、前記表示部の前記表示画面を前記撮像装置の上面から視認可能な位置であることを特徴とする請求項１乃至請求項３のいずれか１項に記載の撮像装置。
【請求項５】
前記第１の検出手段、前記第２の検出手段、前記第３の検出手段はすべて前記撮像装置本体側に配置されており、前記第１の検出手段に作用する第１の被検出体、前記第２の検出手段に作用する第２の被検出体、前記第２の検出手段に作用する第２の被検出体はすべて非接触で検出可能な検出体で構成されていることを特徴とする請求項１乃至請求項４のいずれか１項に記載の撮像装置。
【発明の詳細な説明】
【技術分野】
【０００１】
本発明は、ビデオカメラ等の撮像装置のビューファインダーに関し、詳しくは、表示画面を見るためのモニターを接眼タイプのファインダーとして利用することのできる撮像装置のビューファインダーに関するものである。
【背景技術】
【０００２】
近年、ビデオカメラ等の撮像装置の分野では小型化と高機能化が急速に進み、ユーザーの使い勝手が向上している。ユーザーの使い勝手を向上する方法として、液晶モニターを被写体側から視認できるようなファインダーの構成や、液晶モニターをファインダー（接眼タイプ）とモニターに兼用する構成が提案されている。すなわち、２〜４インチ程度の液晶モニターに接眼レンズ部を装着することにより兼用を可能にしている。
【０００３】
その一例として、図２３に示すように、表示体としての液晶表示パネルを有する本体部と、光路をＬ字状に折り曲げるミラーを有し、本体部の液晶表示パネル側の一端部に対して第１の回動支持部であるヒンジ部により回動可能に設けられ、上記一端部を開閉する折曲部と、折曲部の本体部と反対側の他端部に第２の回動支持部であるヒンジ部により回動可能に設けられ、上記他端部を開閉するルーペ部とを備えたビューファインダーおよびビデオカメラが提案されている（特許文献１）。
【０００４】
また、図２４に示すように、撮影モードにて、撮像光学系から得られる画像を画面の全表示領域よりも小さな画像に縮小して、該縮小画像を画面に表示するための表示映像信号作成回路と、カメラ本体の背面に着脱可能に取り付けられるファインダーフードとを具え、ファインダーフードから、画面に表示された前記縮小画像を観察することが出来るように構成されたデジタルカメラが提案されている（特許文献２）。
【先行技術文献】
【特許文献】
【０００５】
【特許文献１】特開２０１１−８７２５５号公報
【特許文献２】特開２００１−２４９１２号公報
【発明の概要】
【発明が解決しようとする課題】
【０００６】
しかしながら、従来例のようなファインダーでは、撮像装置本体の背面側に回動可能に設けられた液晶モニターに装着した場合、Ｌ字型の光路の折り曲げ部のみのため、表示部の画像を被写体から視認できない。また、被写体から表示部の画像を視認できるように、折り曲げ部およびルーペ部を構成したとしても、画像の表示と画像に重畳された撮像装置の設定などを表示した撮像補助情報が被写体から好適に確認できないという課題がある。
【０００７】
また、ファインダーフードを取り付けた場合に画面を縮小して観察することができるように構成されたとしても、映像や撮影補助情報の向きが好適に表示されないため、課題の解決には至らない。
【課題を解決するための手段】
【０００８】
本発明は、上記課題を鑑みて、撮像レンズを有する撮像装置本体と、表示画面が露出するように撮像装置に配置された表示部と、撮像装置と表示部を連結するように設けられた回動機構と、表示部に対して着脱可能に構成された直視型ファインダーユニットを有し、表示部は回動機構を動作させることによって、表示部が撮像装置に収納される第１の位置と、表示部が回動機構により動作した第２の位置との間を回動可能に設けられ、直視型ファインダーユニットは、表示部から射出された光束を略Ｌ字状に折り曲げる第１ミラーと、表示部に取り付く固定部と、第１ミラーに平行に配置され、第１ミラーにより折り曲げられた光束をさらに略Ｌ字状に折り曲げることで、撮影者の眼に光束を到達させる第２ミラーと、第２ミラーよりも撮影者の眼側に配置された光学部品で構成され、第２ミラーが第１ミラーで略Ｌ字型に折り曲げられた光束から退避可能に構成されており、直視型ファインダーユニットが表示部に装着されたか否かを検出する第１の検出手段、第２ミラーが光束から退避したか否かを検出する第２の検出手段、直視型ファインダーユニットが固定された表示部が第２の位置にあるか否かを検出する第３の検出手段を有し、第１の検出手段、第２の検出手段、第３の検出手段の検出状態に応じて、表示部に表示される映像ないし撮影補助情報の表示の方向を切り替えることを特徴としている。
【０００９】
また、第１の検出手段により直視型ファインダーユニットが表示部に装着されたことを検出し、かつ、第２の検出手段により第２ミラーが光束から退避していることを検出し、かつ、第３の検出手段により表示部が第２の位置にあると検出した場合、表示部に表示される映像は、表示部が第１の位置にある場合の表示状態と同様に表示され、かつ、表示部に表示される撮影補助情報は、表示部が第１の位置にある場合の表示状態の鏡像として表示されることを特徴としている。
【００１０】
また、表示部が撮像装置に収納される第１の位置は、撮像レンズの光軸と直交する面に表示部の表示画面が露出していることを特徴としている。
【００１１】
また、表示部が回動機構により動作した第２の位置は、表示部の表示画面を撮像装置の上面から視認可能な位置であることを特徴としている。
【００１２】
また、第１の検出手段、第２の検出手段、第３の検出手段はすべて撮像装置本体側に配置されており、第１の検出手段に作用する第１の被検出体、第２の検出手段に作用する第２の被検出体、第２の検出手段に作用する第２の被検出体はすべて非接触で検出可能な検出体で構成されていることを特徴としている。
【発明の効果】
【００１３】
以上説明したように、本発明によれば、表示部から射出された光束を略Ｌ字状に折り曲げる第１ミラーを備え、表示部に取り付く固定部を有するミラーユニットと、第１ミラーにより折り曲げられた光束をさらに略Ｌ字状に折り曲げることで、撮影者の眼に光束を到達させる第１ミラーに略平行に配置された第２ミラーと、第２ミラーと第２ミラーよりも撮影者の眼側に配置された光学部品を有する光学ユニットを有し、ミラーユニットで略Ｌ字型に折り曲げられた光束から光学ユニットが退避するように構成され、表示部に対して着脱可能に構成された直視型ファインダーユニットにおいて、ミラーユニットのみが表示部に取り付けられ、表示部が上面を向いた状態で撮像装置を使用した場合に、好適な視認状態を得ることができるようになる。
【図面の簡単な説明】
【００１４】
【図１】撮像装置本体のブロック図
【図２】撮像装置本体の主に上面構成を表す正面右側上方から見た斜視図
【図３】撮像装置本体の主に背面構成を表す背面左側上方から見た斜視図
【図４】撮像装置本体にファインダーユニットを装着した状態の斜視図
【図５】ファインダーユニットの主に上面構成を表す正面右側上方から見た斜視図
【図６】ファインダーユニットの主に背面構成を表す底面左側から見た斜視図
【図７】ファインダーユニットをＸＹ平面で切断した断面図
【図８】ファインダーユニットのミラーユニットと光学ユニットを分離した斜視図
【図９】撮像装置本体の背面構成を表す部分断面図
【図１０】ミラーユニットの背面構成を示す斜視図
【図１１ａ】撮像装置本体およびファインダーユニットの各検出部および被検出体の配置を示す部分断面図
【図１１ｂ】撮像装置本体およびファインダーユニットの各検出部および被検出体の配置を示す部分断面図
【図１１ｃ】撮像装置本体およびファインダーユニットの各検出部および被検出体の配置を示す部分断面図
【図１２】撮像装置本体の上面側に表示部を向けた状態を底面右側下方からみた斜視図
【図１３】撮像装置本体の上面側に表示部を向けた状態を右側面からみた斜視図
【図１４】撮像装置本体の底面側に表示部を向けた状態を右側面からみた斜視図
【図１５】表示部の裏面の説明図
【図１６ａ】ファインダーユニットの装着動作と装着状態の説明図
【図１６ｂ】ファインダーユニットの装着動作と装着状態の説明図
【図１６ｃ】ファインダーユニットの装着動作と装着状態の説明図
【図１６ｄ】ファインダーユニットの装着動作と装着状態の説明図
【図１６ｅ】ファインダーユニットの装着動作と装着状態の説明図
【図１６ｆ】ファインダーユニットの装着動作と装着状態の説明図
【図１７】本発明における撮像装置の表示状態を示したフローチャート
【図１８】映像およびＯＳＤの通常表示状態の表示画面
【図１９ａ】収納状態の表示部にファインダーユニットを装着した撮像装置の側面図
【図１９ｂ】ローアングル姿勢の表示部にファインダーユニットを装着した撮像装置の側面図
【図２０ａ】収納状態の表示部にミラーユニットのみを装着した撮像装置の側面図
【図２０ｂ】収納状態の表示部にミラーユニットのみを装着したときの表示画面
【図２１ａ】ローアングル姿勢の表示部にミラーユニットのみを装着した撮像装置の側面図
【図２１ｂ】ローアングル姿勢の表示部にミラーユニットのみを装着したときの表示画面
【図２２】本発明における実施例の撮像装置の異なる実施例を示した側面図
【図２３】特許文献１の参考図
【図２４】特許文献２の参考図
【発明を実施するための形態】
【００１５】
以下、本発明の好適な一実施形態について、撮像装置に本発明を適用し、図面を参照しながら詳細に説明する。
【００１６】
図１は本発明の電子機器の実施形態の一例である撮像装置の制御系の概略ブロック図である。
【００１７】
図１において、ＣＰＵ１０１は、プログラム・データ記憶部１０２からプログラムを読み込み、読み込まれたプログラムに従ってデジタルビデオカメラ全体の動作を制御する。プログラム・データ記憶部１０２から読み込まれたプログラムは、ＣＰＵ１０１に複数のタスクを並列に実行させるための機能を備えている。ＣＰＵ１０１の制御によってこのプログラムを実行させると、モード制御タスク、カメラ制御タスク、レコーダ制御タスク、及び表示制御タスクが動作する。また、一次記憶部１０３の一部は、ＣＰＵ１０１のワーク領域として機能する。このワーク領域として機能する一次記憶部１０３の一部は、動画用フレームバッファ、及びＯＳＤ（Ｏｎ  Ｓｃｒｅｅｎ  Ｄｉｓｐｌａｙ）用フレームバッファを提供する。
【００１８】
カメラ部１０４は、被写体光を結像させるためのレンズ１０５、レンズ１０５によって結像された被写体像を光電変換する撮像素子、撮像素子を駆動する回路などを備えている。撮像素子は、被写体像を光電変換することによりアナログ映像信号を生成する。
【００１９】
映像処理部１０６は、カメラ部１０４から出力されるアナログ映像信号をデジタル信号に変換し、所定の信号処理を施して動画データを生成する。カメラ部１０４及び映像処理部１０６の動作は、ＣＰＵ１０１が実行する上述したカメラ制御タスクによって制御される。
【００２０】
エンコーダ・デコーダ部１０７は、映像処理部１０６からの動画データを符号化する。エンコーダ・デコーダ部１０７によって符号化された動画データは、一次記憶部１０３に一旦記憶されたのち、付随する管理データとともに動画記憶部１０８に記憶される。動画記憶部１０８は、ハードディスクやフラッシュメモリなどの内蔵メモリや、メモリーカードなどの着脱可能な記録媒体からなる。
【００２１】
動画再生時は、動画記憶部１０８から読みだされた符号化された画像データが一次記憶部１０３を介してエンコーダ・デコーダ部１０７で復号化され、再び一次記憶部１０３の動画用フレームバッファに展開される。エンコーダ・デコーダ部１０７、及び動画記憶部１０８の制御は、ＣＰＵ１０１が実行する上述したレコーダ制御タスクによって制御される。
【００２２】
動画記憶部１０８から読みだされた管理データは、ＯＳＤデータ、すなわち、撮影画像もしくは再生画像に重畳して表示される文字やＧＵＩ（Ｇｒａｐｈｉｃａｌ  Ｕｓｅｒ  Ｉｎｔｅｒｆａｃｅ）の生成に利用される。そして、生成されたＯＳＤデータは、一次記憶部１０３のＯＳＤ用フレームバッファに描画される。ＯＳＤ制御部１２０は、生成されたＯＳＤデータの向きや表示位置を制御し、文字信号として出力する。
【００２３】
表示部１０９には、タッチパネル１１０及びＬＣＤ等の表示画面１１１が内蔵される。表示画面１１１は、表示制御部１１２で重畳された動画用フレームバッファ、及びＯＳＤ用フレームバッファの各内容を表示する。ＯＳＤデータに関する制御、及び表示制御部１１２と表示画面１１１の制御は、ＣＰＵ１０１が実行する上述した制御タスクによって制御される。
【００２４】
表示部位置検出部１１３は、撮像装置本体２０１に対する表示部１０９の位置を検出し、検出結果をＣＰＵ１０１に出力する。ファインダー着脱検出部１１４は、撮像装置本体２０１の表示部１０９に対して着脱可能なファインダーユニット１１５が装着されているか否かを検出し、検出結果をＣＰＵ１０１に出力する。光学ユニット検出部１１６は、撮像装置本体２０１に装着されたファインダーユニット１１５が、光学ユニット１１７とミラーユニット１１８と分離されているか否かを検出し、検出結果をＣＰＵ１０１に出力する。
【００２５】
ＣＰＵ１０１は、表示部位置検出部１１３、ファインダー着脱検出部１１４、光学ユニット検出部１１６からのそれぞれの出力信号に基づいて表示制御部１１２およびＯＳＤ制御部１２０を駆動し、表示画面１１１に表示する画像の向きおよびＯＳＤの向きをそれぞれ変更制御する。本発明における、表示画面１１１に表示する画像の向きおよびＯＳＤの向きの制御に関して、詳細は後述する。
【００２６】
撮像装置本体２０１に設けられた操作キー１１９、表示部１０９におけるタッチパネル１１０は、いずれも操作者による操作指示を受け付けるための操作手段である。
【００２７】
（撮像装置外観斜視図の説明）
本実施形態での説明において、図２における矢印にて示す方向を、各々±Ｘ方向・±Ｙ方向・±Ｚ方向と定める。また、本実施形態における撮像装置において、レンズ（前玉）側から見た面（図２−Ｘ方向に向かって見た時、視認できる面）を正面、正面と対向する面を背面、正面から見て右側の面を右側面、正面から見て左側の面を左側面、正面から見て上側の面を上面、正面から見て下側の面を底面、と各々称する。
【００２８】
図２は撮像装置本体２０１の主に上面構成を表す正面右側上方から見た斜視図、図３は撮像装置本体２０１ の主に背面構成を表す背面左側上方から見た斜視図、本図を用いて外観斜視図に表される各要素の機能を説明する。
【００２９】
図２、図３に示す撮像装置本体２０１の正面側にはレンズ１０５が配置されている。
【００３０】
レンズ１０５には、撮影者が回動することで撮影画像の光学的な拡大縮小を行うズームリング２０２が配置されている。また、レンズ１０５には撮影者が回動することで、撮影画像の合焦位置を変動することができるフォーカスリング２０３が設けられている。
【００３１】
撮像装置本体２０１の右側面には、操作キー１１９として、撮影者がＸ軸方向にスライド操作することで、合焦動作を行なうオートフォーカスモードと、撮影者が任意に合焦位置を操作するマニュアルフォーカスモードを切り替えるフォーカス切替スイッチ１１９ａが配置されている。また、表示部１０９に表示される撮像装置本体２０１のさまざま状態を示すアイコンの表示／非表示を切り替える表示切替スイッチ１１９ｂ、撮像装置本体２０１がマニュアルフォーカスモードになっている場合に、撮影者が押している間だけ一時的にオートフォーカスモードに切り替えることができるＡＦスイッチ１１９ｃが配置されている。
【００３２】
撮像装置本体２０１の左側面には、把持部回動軸３０１を中心に回動可能に取り付けられた把持部２０４が配置されている。 
【００３３】
把持部２０４は図３に示す把持部回動軸３０１を中心に矢印Ａ側に９０度、矢印Ｂ側に９０度回動するように構成されている。
【００３４】
撮像装置本体２０１の上面には、入力された音声信号を電気信号に変換するマイク２０５が配置されている。
【００３５】
マイク２０５の背面方向に隣接して、フラッシュや外部マイクなどのカメラアクセサリを装着可能なアクセサリ取付部２０６が配置されている。アクセサリ取付部２０６の下にはアクセサリ取付台座部３０２を設け、アクセサリ取付部２０６の高さを稼ぐ構成になっている。
【００３６】
撮像装置本体２０１の背面には、撮影者が撮像画像や再生画像の確認を行なう表示部１０９が配置されている。表示部１０９は撮像装置本体２０１に対して回動可能に取り付けられており、撮影者が撮影状況に合わせて、表示部１０９の位置を任意に変えることができるように構成されている。表示部１０９の回動動作については、後述する。
【００３７】
表示部１０９には撮影者が確認する撮像画像や再生画像が表示される表示画面１１１が配置されている。本説明の表示部１０９において、表示画面１１１が配置された側を表示部１０９表面、その対面側を表示部１０９裏面と表現する。
【００３８】
また、表示部１０９の底面側には、記録媒体ないしは記録媒体挿入口を被覆するためのカードカバー部３０３が配置されている。記録媒体は、撮影者が撮影した画像を記録するために、撮像装置本体２０１に着脱する。
【００３９】
撮影者はカードカバー部３０３上に配置されたカードカバー操作ノブ３０４を操作することで、記録媒体ないしは記録媒体挿入口が被覆されている状態であるカバー閉状態から記録媒体ないしは記録媒体挿入口が露出している状態であるカバー開状態にすることができる。
【００４０】
カードカバー部３０３には、透明樹脂で構成されたカード視認窓３０５が設けられている。撮影者は撮像装置本体２０１に記録媒体が装着されているか否かを、カード視認窓３０５からカードカバー部３０３内部を観察することで確認することができる。
【００４１】
撮像装置本体２０１には、表示部１０９裏面が対向する側に設けられた背面カバー３０６が配置されている。表示部１０９、カードカバー部３０３は背面カバー３０６に固定されることで撮像装置本体２０１と結合している。背面カバー３０６の上面には、表示部当接部３０７が配設されており、表示部１０９の回動動作時の動作端として機能する。
【００４２】
（分離型ファインダー外観斜視図の説明）
図４は撮像装置本体２０１にファインダーユニット１１５を装着した状態の斜視図、図５は撮像装置本体２０１の表示部１０９に着脱可能に構成されたファインダーユニット１１５の主に上面構成を表す正面右側上方から見た斜視図、図６はファインダーユニット１１５の主に背面構成を表す底面左側から見た斜視図を示している。本図を用いてファインダーユニット１１５の外観斜視図に表される各要素の機能を説明する。
【００４３】
ファインダーユニット１１５は図４に示すように撮像装置本体２０１の背面に設けられた表示部１０９に装着して使用する。ファインダーユニット１１５にはファインダーユニット１１５正面に設けられた表示部保持部材５０１が配置されている。表示部保持部材５０１は、表示部１０９の略全周を覆うように形成され、内側に開口部５０６を有する枠状の部品として形成されている。
【００４４】
表示部保持部材５０１の左側には、表示部保持部材５０１と一体で形成された固定係合爪５０２が設けられている。表示部保持部材５０１の右側には、表示部１０９と係合するように構成された可動係合爪５０３と、可動係合爪５０３を操作するための可動係合爪操作部５０４が設けられている。
【００４５】
表示部保持部材５０１には、ロの字状に形成された表示部付勢部材５０５が両面テープなどの粘着剤などで貼付されている。表示部付勢部材５０５は、ファインダーユニット１１５が撮像装置本体２０１の表示部１０９に装着された際に、表示部保持部材５０１と表示部１０９の間で押圧されるように配置されており、本実施例ではウレタンフォームなどのスポンジ状素材で構成されている。
【００４６】
ファインダーユニット１１５の内部には外観から視認できる位置に第１の反射鏡５０７、光学部品保持部材５０８が配置されている。本実施例におけるファインダーユニット１１５の光学部品配置に関しては後述する。
【００４７】
ファインダーユニット１１５の背面側には、表示部１０９に表示される撮影画像や再生画像を視認するために、撮影者が接眼した際に撮影者の眼を覆うためのアイカップ５０９が配置されている。
【００４８】
アイカップ５０９の内側には、接眼側開口部６０１が設けられており、撮影者は撮像装置本体２０１の表示部１０９に表示された画像を、接眼側開口部６０１を覗くことで視認することができる。
【００４９】
接眼側開口部６０１の内側には、ファインダーユニット１１５の光学系の中で最も撮影者の眼側に近い第２のレンズ６０２が配置されている。第２のレンズ６０２は、撮影者がアイカップ５０９の底面側に設けられた視度調整ノブ６０３を操作することで、図６に示す座標系のＸ軸方向に動作するように構成されている。撮影者はファインダーユニット１１５を使用する際、視度調整ノブ６０３を操作することで、撮影者自身の視力に合うように第２のレンズ６０２を好適な位置に移動することができる。
【００５０】
また、ファインダーユニット１１５は、ファインダーユニット１１５の主に上面側を被覆する上面外装部材５１０、ファインダーユニット１１５の主に底面側を被覆する下面外装部材５１１、表示部保持部材５０１、アイカップ５０９で主たる外観を構成している。
【００５１】
下面外装部材５１１には、撮影者がスライド操作することで、ファインダーユニット１１５の一部構造を分離するためのリリースノブ６０４が配置されている。ファインダーユニット１１５の分離構造に関して、説明は後述する。
【００５２】
（ファインダーユニット断面図の説明）
図７はファインダーユニット１１５を図５に示す座標系のＸＹ平面で切断した断面図である。
【００５３】
本図を用いて断面図に表されるファインダーユニット１１５の内部構造を説明する。光学部品の配置に関して、表示部１０９から出射した光束が撮影者の眼７０１に入射するまでに通過する順に説明する。また、図７では表示部１０９から出射した光束のファインダー光軸中心７０２ａ〜ｃを一点鎖線で表している。
【００５４】
ファインダーユニット１１５には、表示部１０９に面し且つ斜めに第１の反射鏡５０７が配設されている。第２の反射鏡７０３は第１の反射鏡５０７からの出射光が入光するように第１の反射鏡５０７と平行に配置されている。第１の反射鏡５０７及び第２の反射鏡７０３は、銀やアルミ等の蒸着膜により反射面が形成されている。
【００５５】
第２の反射鏡７０３で反射された光は、ファインダーユニット１１５内で移動不能に配設された第１のレンズ７０４を通過する。第１のレンズ７０４を通過した光は、後段に配設された第２のレンズ６０２を通過し、撮影者の眼７０１に到達する。
【００５６】
図７において、ファインダー光軸中心７０２ａ〜ｃは説明の都合上、表示部１０９から第１の反射鏡５０７までの光束を第１の光束７０２ａ、第１の反射鏡５０７から第２の反射鏡７０３までの中心光束を第２の光束７０２ｂ、第２の反射鏡７０３から撮影者の眼７０１までの中心光束を第３の光束７０２ｃの３つの区間に分ける。
【００５７】
（分離の説明追加）
図８はファインダーユニット１１５を光学ユニット１１７とミラーユニット１１８に分離した斜視図を示している。
【００５８】
ファインダーユニット１１５は、図６に示したリリースノブ６０４をスライドすることで、第１のレンズ７０４、第２のレンズ６０２、第２の反射鏡７０３などの部材を有する光学ユニット１１７と、表示部保持部材５０１、第１の反射鏡５０７などの部材を有するミラーユニット１１８に分離可能に構成されている。
【００５９】
光学ユニット１１７には、後述する光学ユニット検出部１１６と対向する側に光学ユニット被検出体８０１が配置されている。光学ユニット１１７側に光学ユニット被検出体８０１を配置することで、光学ユニット１１７を取り外した場合に光学ユニット被検出体８０１が光学ユニット検出部１１６に対して離間するように構成されている。
【００６０】
本実施例において、光学ユニット被検出体８０１は磁石で構成されている。このようにファインダーユニット１１５を分離可能に構成することで、ミラーユニット１１８のみを撮像装置本体２０１の表示部１０９に装着して使用することができるようになる。ミラーユニット１１８のみを装着して使用した際の使用方法に関して、詳細は後述する。
【００６１】
図９は撮像装置本体２０１、表示部１０９の部分断面図、図１０はミラーユニット１１８の内部構造を示した概略図、図１１（ａ）は図４に示した状態の撮像装置本体２０１およびファインダーユニット１１５を光学ユニット検出部１１６を通るＸＹ平面で切断した部分断面図、図１１（ｂ）は図４に示した状態の撮像装置本体２０１およびファインダーユニット１１５をファインダー着脱検出部１１４を通るＸＹ平面で切断した部分断面図、図１１（ｃ）は図４に示した状態の撮像装置本体２０１およびファインダーユニット１１５を表示部位置検出部１１３を通るＸＹ平面で切断した部分断面図である。
【００６２】
ファインダー着脱検出部１１４は図９に示すように表示部１０９の左側上方に配置されている。
【００６３】
表示部位置検出部１１３は図９に示すようにアクセサリ取付台座部３０２の内部に配置されている。光学ユニット検出部１１６は図９に示すように表示部１０９の右側上方に配置されており、前述のように光学ユニット１１７が取り付けられた状態のファインダーユニット１１５を装着した場合、光学ユニット被検出体８０１と対向する位置になるように上面外装部材５１０の内部に保持されている（図１１（ａ））。
【００６４】
ファインダー着脱検出部１１４に作用するファインダー着脱被検出体１００１は、図１０に示すようにミラーユニット１１８の表示部保持部材５０１内部右側に保持され、ファインダーユニット１１５を装着した時に、ファインダー着脱検出部１１４とほぼ対向する位置に配置されている（図１１（ｂ））。
【００６５】
また、表示部位置検出部１１３に作用する表示部位置被検出体９０１は、図９に示すように表示部１０９の内部上面のほぼ中央側に配置され、表示部１０９の表示画面１１１が上面を向いている場合に、撮像装置本体２０１の表示部位置検出部１１３とほぼ対向する位置に配置されている（図１１（ｃ））。
【００６６】
本実施例において、ファインダー着脱被検出体１００１、表示部位置被検出体９０１は光学ユニット被検出体８０１同様に磁石で構成されており、光学ユニット検出部１１６、ファインダー着脱検出部１１４、表示部位置検出部１１３の各検出部は被検出体が検出部近傍に近接した場合にＣＰＵ１０１に対して出力信号を出力するような非接触式の検出方式で構成されている。
【００６７】
（撮像装置表示部の動作に関する説明）
撮像装置本体２０１の表示部１０９の回動動作について、説明する。図１２は撮像装置本体２０１の上面側に表示部１０９を向けた状態を底面右側下方からみた斜視図、図１３は撮像装置本体２０１の上面側に表示部１０９を向けた状態を右側面からみた側面図、図１４は撮像装置本体２０１の底面側に表示部１０９を向けた状態を右側面からみた側面図である。
【００６８】
図１２に示すように表示部１０９を撮像装置本体２０１に対して回転移動可能に取り付けるヒンジ部１２０１が配置されている。ヒンジ部１２０１は撮像装置本体２０１側に配置された第１の表示部回転軸１２０２と表示部１０９側に配置された第２の表示部回転軸１２０３を有している。
【００６９】
図１２に示すように、表示部１０９は撮像装置本体２０１に対して回転移動可能に構成される。本図を用いて表示部１０９の可動可能な姿勢について説明する。ヒンジ部１２０１は本体背面側の締結部１２０４によって撮像装置本体２０１に締結される。また、ヒンジ部１２０１はこの締結部１２０４近傍に一点鎖線で表示した第１の表示部回転軸１２０２を有し、撮像装置本体２０１に対する表示部１０９の回転移動を可能にする。このように、表示部１０９を第１の表示部回転軸１２０２と第２の表示部回転軸１２０３の２つの軸で回転移動させることで、撮影者は表示内容を見やすい位置に表示部１０９の位置を調整することが可能となる。
【００７０】
たとえば、図１３に示すような表示部１０９を撮像装置本体２０１に対して上面側に向けた、いわゆるローアングル姿勢や、図１４に示すような表示部１０９を撮像装置本体２０１に対して底面側に向けた、いわゆるハイアングル姿勢においても、好適な位置で表示部１０９を視認できるようになる。これ以降の説明において、図３に示すような表示部１０９の状態を収納状態、図１３に示すような表示部１０９の状態をローアングル姿勢、図１４に示すような表示部１０９の状態をハイアングル姿勢と表現する。
【００７１】
（ファインダー取付動作の説明）
続いて、撮像装置本体２０１の表示部１０９に対してファインダーユニット１１５を装着する際の装着動作について説明する。
【００７２】
図１５は撮像装置本体２０１の表示部１０９裏面を示した図、図１６（ａ）〜図１６（ｄ）は表示部１０９にファインダーユニット１１５を装着する際の動作を示した図、図１６（ｅ）は表示部１０９にファインダーユニット１１５を装着した状態を表示部１０９裏面側から見た図、図１６（ｆ）は図１６（ｅ）の状態を断面Ｆ−Ｆで切断し、表示部１０９ 上面側から見た断面図である。
【００７３】
撮像装置本体２０１の表示部１０９には、左側面に固定係合爪係止部１５０１、右側面に可動係合爪係止部１５０２がそれぞれ配設されている。ファインダーユニット１１５への装着動作は、まず、表示部１０９の固定係合爪係止部１５０１に対してファインダーユニット１１５の固定係合爪５０２が係合するように、ファインダーユニット１１５を装着する。このとき、表示部保持部材５０１に表示部１０９外形が収納されるよ図１６（ｃ）図１６（ｃ）うにファインダーユニット１１５を傾けた状態で係合させる。
【００７４】
次に、ファインダーユニット１１５全体を固定係合爪５０２の係合部を中心に図１６（ａ）中の矢印Ｃ方向に動作させ、表示部保持部材５０１が表示部１０９外形を覆うようにする。
【００７５】
その後、可動係合爪５０３を図１６（ｂ）に示す矢印Ｄ方向に操作し、表示部１０９に配設された可動係合爪係止部１５０２に係合させ、可動係合爪操作部５０４を図１６（ｃ）に示す矢印Ｅ方向に操作することで、図１６（ｄ）に示すようにファインダーユニット１１５を表示部１０９に対して固定されるように構成されている。
【００７６】
表示部１０９に固定されたファインダーユニット１１５は、図１６（ｅ）、図１６（ｆ）に示すように、略コの字状に形成された固定係合爪５０２は固定係合爪係止部１５０１に係合している。また、可動係合爪５０３は表示部１０９に凹状に配設された可動係合爪係止部１５０２に対して固定係合爪５０２が潜り込むように係合する。
【００７７】
可動係合爪５０３および可動係合爪操作部５０４を使用した表示部１０９への固定方法に関しては、一般的にドローラッチとして知られる機構を用いている。
【００７８】
上述のようにファインダーユニット１１５を表示部１０９に装着することで、表示部１０９とファインダーユニット１１５が一体となって、撮像装置本体２０１に対して動作可能となる。
【００７９】
（フローチャートの説明）
次に、図１７を参照して、表示部１０９の回動位置、ファインダーユニット１１５の着脱状態および表示部１０９に装着されたファインダーユニット１１５の装着状態に応じたＣＰＵ１０１による映像およびＯＳＤの向きの変更制御について説明する。
【００８０】
まず、ステップＳ１７０１では、ＣＰＵ１０１は、撮像装置本体２０１の電源が投入されるとステップＳ１７０２に進む。
【００８１】
ステップＳ１７０２では、ＣＰＵ１０１は、ファインダー着脱検出部１１４からの出力信号に基づき、表示部１０９に対してファインダーユニット１１５が装着されたか否かの検出を行う。ステップＳ１７０２において、ＣＰＵ１０１がファインダーユニット１１５が装着されていることを検出した場合は、ステップＳ１７０３に進む。また、ＣＰＵ１０１がファインダーユニット１１５が装着されていないことを検出した場合は、ステップＳ１７０４に進む。
【００８２】
ステップＳ１７０４では、ＣＰＵ１０１は動画記憶部１０８から通常の映像を読出し、ステップＳ１７０５に進む。ステップＳ１７０５では、ＣＰＵ１０１は動画記憶部１０８から通常のＯＳＤデータを読出し、ステップＳ１７０６に進む。そして、ＣＰＵ１０１は表示部１０９の表示画面１１１に通常の映像および通常のＯＳＤデータを表示して処理を終了する。
【００８３】
一方、ステップＳ１７０３では、ＣＰＵ１０１は、光学ユニット検出部１１６からの出力信号に基づき、表示部１０９に対して装着されたファインダーユニット１１５に光学ユニット１１７が取り付けられているか否かの検出を行う。ステップＳ１７０３において、ＣＰＵ１０１が光学ユニット１１７が取り付けられた状態であることを検出した場合、ステップＳ１７０７に進む。そして、ステップＳ１７０４、ステップＳ１７０５の処理を経て、ステップＳ１７０６に進む。そして、ＣＰＵ１０１は表示部１０９の表示画面１１１に通常の映像および通常のＯＳＤデータを表示して処理を終了する。
【００８４】
また、ＣＰＵ１０１が光学ユニット１１７が取り付けられていない状態を検出した場合、ステップＳ１７０８に進む。
【００８５】
ステップＳ１７０８では、ＣＰＵ１０１は、表示部位置検出部１１３からの出力信号に基づき、ファインダーユニット１１５が装着された表示部１０９の位置が図１３に示したようなローアングル姿勢か否かの検出を行う。ステップＳ１７０８では、ＣＰＵ１０１が、ローアングル姿勢であると検出した場合、ステップＳ１７０９に進む。ステップＳ１７０９では、ＣＰＵ１０１は動画記憶部１０８から通常の映像を読出し、ステップＳ１７１１に進む。ステップＳ１７１１では、ＣＰＵ１０１は動画記憶部１０８から通常のＯＳＤデータを読出し、ＯＳＤ制御部１２０でＯＳＤデータを表示画面１１１の長手方向幅中心に対して、左右反転、すなわち鏡像になるようにＯＳＤデータを制御し、ステップＳ１７０６に進む。そして、ＣＰＵ１０１は表示部１０９の表示画面１１１に通常の映像および通常のＯＳＤデータを表示して処理を終了する。
【００８６】
一方、ＣＰＵ１０１がローアングル姿勢ではないと検出した場合、ステップＳ１７１０に進む。ステップＳ１７１０では、ＣＰＵ１０１は動画記憶部１０８から通常の映像データを読出し、表示制御部１１２で映像を表示画面１１１の短手方向幅中心に対して上下反転制御し、さらに表示画面１１１の長手方向幅中心に対して左右反転制御し、ステップＳ１７１２に進む。
【００８７】
ステップＳ１７１２では、ＣＰＵ１０１は動画記憶部１０８から通常のＯＳＤデータを読出し、ＯＳＤ制御部１２０でＯＳＤデータを表示画面１１１の短手方向幅中心に対して上下反転制御し、さらに表示画面１１１の長手方向幅中心に対して左右反転制御し、ステップＳ１７０６に進む。そして、ＣＰＵ１０１は表示部１０９の表示画面１１１に上下左右反転した映像およびＯＳＤデータを表示して処理を終了する。
【００８８】
次に、上述の変更制御を実行した場合の各フローにおける撮像装置本体２０１の表示部１０９の位置、ファインダーユニット１１５の装着状態、撮像装置本体２０１の表示画面１１１の表示状態を図１９〜図２１を用いて説明する。
【００８９】
ステップＳ１７０２においてＣＰＵ１０１がファインダー着脱検出部１１４の出力信号に基づいて、ファインダーユニット１１５が装着されていないと判断した場合、撮像装置本体２０１に対する表示部１０９の位置に関わらず、撮影者が表示画面１１１とほぼ正対する位置で表示画面１１１を視認することになる。
【００９０】
そのため、表示画面１１１の映像およびＯＳＤの表示は、図１８に示すような撮影者側から被写体を見た場合と同様の表示状態となる。
【００９１】
一方、ステップＳ１７０２においてＣＰＵ１０１がファインダー着脱検出部１１４の出力信号に基づいて、ファインダーユニット１１５が装着されていると判断し、かつ、ステップＳ１７０３でＣＰＵ１０１が光学ユニット検出部１１６の出力信号に基づき、光学ユニット検出部１１６が取り付けられていると判断した場合も、ファインダーユニット１１５が表示部１０９に装着されていない場合と同様に、表示画面１１１の映像およびＯＳＤの表示は、図１８に示すような撮影者側から被写体を見た場合と同様の表示状態となる。
【００９２】
ファインダーユニット１１５の光学ユニット検出部１１６が取り付けられた状態では、図１９（ａ）、図１９（ｂ）撮影者はファインダーユニット１１５のアイカップ５０９に接眼した使用状態であることが予測可能であるため、撮影者側から被写体を見た場合と同様の表示状態であることが望ましい。
【００９３】
また、ステップＳ１７０２においてＣＰＵ１０１がファインダー着脱検出部１１４の出力信号に基づいて、ファインダーユニット１１５が装着されていると判断し、かつ、ステップＳ１７０３でＣＰＵ１０１が光学ユニット検出部１１６の出力信号に基づき、光学ユニット検出部１１６が取り付けられていないと判断され、かつ、ステップＳ１７０８でＣＰＵ１０１が表示部１０９が上面を向いたローアングル姿勢ではないと判断した場合、図２０（ａ）に示すように撮像装置本体２０１の表示部１０９にミラーユニット１１８だけが装着され、表示部１０９が上面を向いていない使用状態である。図２０（ａ）では、表示部１０９が収納状態にある場合を図示している。
【００９４】
このような使用状態にある表示部１０９の表示画面１１１は、表示画面１１１から出射した第１の光束７０２ａが第１の反射鏡５０７に反射され、第２の光束７０２ｂが撮像装置本体２０１の上方から視認している撮影者の眼７０１に到達することで、撮影者が映像を視認することになる。前述のような使用状態で撮影者が視認可能なように映像およびＯＳＤデータを表示するには、上述のフローチャートに基づいて、図２０（ｂ）に示すように映像およびＯＳＤデータを表示画面１１１の中心に対して上下左右反転して表示すればよい。
【００９５】
このような表示状態を実現することで、たとえば、撮影者が撮像装置本体２０１をウエストレベルで構え、撮影者の眼７０１が離間したような撮影姿勢であっても、好適な視認状態を得ることが可能となる。
【００９６】
さらにまた、、ステップＳ１７０２においてＣＰＵ１０１がファインダー着脱検出部１１４の出力信号に基づいて、ファインダーユニット１１５が装着されていると判断し、かつ、ステップＳ１７０３でＣＰＵ１０１が光学ユニット検出部１１６の出力信号に基づき、光学ユニット検出部１１６が取り付けられていないと判断され、かつ、ステップＳ１７０８でＣＰＵ１０１が表示部１０９が上面を向いたローアングル姿勢であると判断した場合、図２１（ａ）に示すように撮像装置本体２０１の表示部１０９にミラーユニット１１８だけが装着され、表示部１０９が上面を向いた使用状態である。
【００９７】
このような使用状態にある表示部１０９の表示画面１１１は、表示画面１１１から出射した第１の光束７０２ａが第１の反射鏡５０７に反射され、第２の光束７０２ｂが撮像装置本体２０１の前方から視認している撮影者の眼７０１に到達することで、撮影者が映像を視認することになる。このような使用状態は、撮影者自身が被写体となる、いわゆる、自分撮り状態である。
【００９８】
前述のような使用状態で撮影者が視認可能なように映像およびＯＳＤデータを表示するには、上述のフローチャートに基づいて、図２１（ｂ）に示すように映像は通常の表示、ＯＳＤデータを表示画面１１１の長手方向幅中心に対して左右反転して表示すればよい。このような表示状態を実現することで、たとえば、撮影者が撮像装置本体２０１と対面するような自分撮りするような撮影状態であっても、好適な視認状態を得ることが可能となる。
【００９９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【０１００】
たとえば、本実施例において、ファインダーユニット１１５の光学ユニット１１７がミラーユニット１１８と分離する形態で説明したが、図２２に示すように分離せずに光学ユニット１１７の後方端部に光学ユニット回動軸２２０１が設けられ、ミラーユニット１１８と一部接合した状態で退避できるような形態でもよい。
【符号の説明】
【０１０１】
１０１ ・・・・ ＣＰＵ
１０４ ・・・・ カメラ部
１０５ ・・・・ レンズ
１０６ ・・・・ 映像処理部
１０８ ・・・・ 動画記憶部
１０９ ・・・・ 表示部
１１１ ・・・・ 表示画面
１１２ ・・・・ 表示制御部
１１３ ・・・・ 表示部位置検出部
１１４ ・・・・ ファインダー着脱検出部
１１５ ・・・・ ファインダーユニット
１１６ ・・・・ 光学ユニット検出部
１１７ ・・・・ 光学ユニット
１１８ ・・・・ ミラーユニット
１２０ ・・・・ ＯＳＤ制御部
２０１ ・・・・ 撮像装置本体
５０７ ・・・・ 第１の反射鏡
７０１ ・・・・ 撮影者の眼
７０２ａ ・・・・ 第１の光束
７０２ｂ ・・・・ 第２の光束
７０２ｃ ・・・・ 第３の光束
７０３ ・・・・ 第２の反射鏡
８０１ ・・・・ 光学ユニット被検出体
９０１ ・・・・ 表示部位置被検出体
１００１ ・・・・ ファインダー着脱被検出体
１１０１ ・・・・ ヒンジ部
１１０２ ・・・・ 第１の表示部回転軸
１１０３ ・・・・ 第２の表示部回転軸
２１０１・・・・光学ユニット回動軸
【図１】
2019056863.tif 000003
【図２】
2019056863.tif 000004
【図３】
2019056863.tif 000005
【図４】
2019056863.tif 000006
【図５】
2019056863.tif 000007
【図６】
2019056863.tif 000008
【図７】
2019056863.tif 000009
【図８】
2019056863.tif 000010
【図９】
2019056863.tif 000011
【図１０】
2019056863.tif 000012
【図１１ａ】
2019056863.tif 000013
【図１１ｂ】
2019056863.tif 000014
【図１１ｃ】
2019056863.tif 000015
【図１２】
2019056863.tif 000016
【図１３】
2019056863.tif 000017
【図１４】
2019056863.tif 000018
【図１５】
2019056863.tif 000019
【図１６ａ】
2019056863.tif 000020
【図１６ｂ】
2019056863.tif 000021
【図１６ｃ】
2019056863.tif 000022
【図１６ｄ】
2019056863.tif 000023
【図１６ｅ】
2019056863.tif 000024
【図１６ｆ】
2019056863.tif 000025
【図１７】
2019056863.tif 000026
【図１８】
2019056863.tif 000027
【図１９ａ】
2019056863.tif 000028
【図１９ｂ】
2019056863.tif 000029
【図２０ａ】
2019056863.tif 000030
【図２０ｂ】
2019056863.tif 000031
【図２１ａ】
2019056863.tif 000032
【図２１ｂ】
2019056863.tif 000033
【図２２】
2019056863.tif 000034
【図２３】
2019056863.tif 000035
【図２４】
2019056863.tif 000036